(57)【特許請求の範囲】
【請求項１】
本文と、本文の始頁側及び終頁側に各々接着された見返しと、上記本文及び見返しを包んだ状態で、表表紙及び裏表紙が上記見返しに接着された表紙とからなる上製本において、上記本文が枚葉状態で印刷された枚葉紙の集積体で形成され、上記本文の背となる垂直面がホットメルト接着剤層によって下固めされ、上記本文の小口に凹状湾曲面が付与され、上記本文の背には上記ホットメルト接着剤層の上から背固め部が形成されたことを特徴とする上製本。
【請求項２】
請求項１に記載の上製本において、上記ホットメルト接着剤がＰＵＲホットメルト接着剤であり、このＰＵＲホットメルト接着剤層（５）が上記見返し（２，３）の背を乗り越える位置まで伸びていることを特徴とする上製本。
【請求項３】
請求項１又は請求項２に記載の上製本において、上記背固め部は、上記ホットメルト接着剤層の背に接着された被覆紙と、この被覆紙の背に接着された寒冷紗と、この寒冷紗の背に接着された背紙とを包含してなる積層体により形成されたことを特徴とする上製本。
【請求項４】
枚葉印刷機で印刷され排出される枚葉紙を集積して本文を形成する工程と、この本文の始頁側と終頁側とに、見返しを接着する工程と、上記本文の背となる垂直面にＰＵＲホットメルト接着剤層を塗布する工程と、上記本文の小口を凹状湾曲面に形成する工程と、上記本文の背に背固め部を形成する工程と、上記本文及び見返しを表紙で包み、見返しを表表紙及び裏表紙に接着する工程とを包含してなることを特徴とする上製本の製造方法。
【請求項５】
枚葉印刷機により枚葉状態で印刷され排出される枚葉紙及び枚葉状の見返しを集積して本文と見返しの集積体を形成する工程と、上記集積体の背となる垂直面にＰＵＲホットメルト接着剤層を形成する工程と、上記集積体の小口に凹状湾曲面を形成する工程と、上記集積体の背に背固め部を形成する工程と、上記集積体を表紙で包み、上記見返しを表表紙及び裏表紙に接着する工程とを包含してなることを特徴とする上製本の製造方法。
【請求項６】
請求項４又は請求項５に記載の上製本の製造方法において、上記ＰＵＲホットメルト接着剤層を上記見返しの背を乗り越える位置まで形成することを特徴とする上製本の製造方法。
【発明の詳細な説明】
【技術分野】
【０００１】
本発明は、上製本及びその製造方法に関する。
【背景技術】
【０００２】
従来の上製本においては、オフセット印刷機等によって１６頁、３２頁等多面付け印刷した紙葉を折り畳んでなる折丁を他の折丁と共に重ね合わせ、これら折丁の背を糸綴じ、無線綴じ等によって綴じることによってその本文が形成される。それゆえ、従来の上製本の製法はページ数の多い本の製造には適するが、ページ数の少ない本や、小部数の本の製造にはコストが高くつき、材料ロスも多く、不向きである。
【０００３】
また、従来の上製本の製造工程は複雑であることから、これをより簡略化しコストを低減することができる製法が提案されている。これには、本文を無線綴じにより形成し、表紙でくるむ際に本文と表紙との間に見返しを挿入することによって外観上上製本らしく見せようとするもの（例えば、特許文献１参照。）や、見返しを折丁の集積体からなる本文の両面に各々当てたうえでＥＶＡ（Ethylene Vinyl Acetate Copolymer）ホットメルト接着剤でそれらの背を仮止めし、三方断裁し、その後ＥＶＡホットメルトの付着した背を断裁し、この断裁後の背にＰＵＲ（Poly Urethane Reactive）ホットメルト接着剤を塗布して表紙でくるむ方法（例えば、特許文献２参照。）がある。
【先行技術文献】
【特許文献】
【０００４】
【特許文献１】特開平８−２８２１４９号公報
【特許文献２】特開２００９−２１４４３０号公報
【発明の概要】
【発明が解決しようとする課題】
【０００５】
従来の簡易化された上製本は、本文が１６頁、３２頁等多面付け印刷した紙葉を折り畳んでなる折丁によって構成されるから、比較的大型の印刷機によって印刷し、折り機で折り畳まなければならず、従って、プリント・オン・デマンドに対応することが困難であるという問題がある。また、従来の簡易化された上製本はその小口が平坦面に仕上げられているので、指が掛かり難く、頁を開く操作が面倒であるという問題がある。
【０００６】
本発明は、上記課題を解決することができる上製本及びその製造方法を提供しようというものである。
【課題を解決するための手段】
【０００７】
上記課題を解決するため、本発明は次のような構成を採用する。
【０００８】
なお、本発明の理解を容易にするため括弧付きの符号を付すが、本発明はこれに限定されるものではない。
【０００９】
すなわち、請求項１に係る発明は、本文（１）と、本文（１）の始頁側及び終頁側に各々接着された見返し（２，３）と、上記本文（１）及び見返し（２，３）を包んだ状態で、表表紙（４ａ）及び裏表紙（４ｂ）が上記見返し（２，３）に接着された表紙（４）とからなる上製本において、上記本文（１）が枚葉状態で印刷された枚葉紙（１ａ）の集積体で形成され、上記本文（１）の背となる垂直面がホットメルト接着剤層（５）によって下固めされ、上記本文（１）の小口（１ｃ）に凹状湾曲面が付与され、上記本文（１）の背には上記ホットメルト接着剤層（５）の上から背固め部（１６）が形成された上製本を採用する。
【００１０】
請求項２に記載されるように、請求項１に記載の上製本において、上記ホットメルト接着剤がＰＵＲホットメルト接着剤であり、このＰＵＲホットメルト接着剤層（５）が上記見返し（２，３）の背を乗り越える位置まで伸びているものとすることができる。
【００１１】
請求項３に記載されるように、請求項１又は請求項２に記載の上製本において、上記背固め部（１６）は、上記ホットメルト接着剤層（５）の背に接着された被覆紙（６）と、この被覆紙（６）の背に接着された寒冷紗（７）と、この寒冷紗（７）の背に接着された背紙（８）とを包含してなる積層体により形成されたものとすることができる。
【００１２】
請求項４に係る発明は、枚葉印刷機で印刷され排出される枚葉紙（１ａ）を集積して本文（１）を形成する工程と、この本文（１）の始頁側と終頁側とに、見返し（２，３）を接着する工程と、上記本文（１）の背となる垂直面にＰＵＲホットメルト接着剤層（５）を塗布する工程と、上記本文（１）の小口（１ｃ）を凹状湾曲面に形成する工程と、上記本文の背に背固め部（１６）を形成する工程と、上記本文（１）及び見返し（２，３）を表紙（４）で包み、見返し（２，３）を表表紙（４ａ）及び裏表紙（４ｂ）に接着する工程とを包含してなる上製本の製造方法を採用する。
【００１３】
請求項５に係る発明は、枚葉印刷機により枚葉状態で印刷され排出される枚葉紙（１ａ）及び枚葉状の見返し（２，３）を集積して本文（１）と見返し（２，３）の集積体を形成する工程と、上記集積体の背となる垂直面にＰＵＲホットメルト接着剤層（５）を形成する工程と、上記集積体の小口に凹状湾曲面を形成する工程と、上記集積体の背に背固め部（１６）を形成する工程と、上記集積体を表紙（４）で包み、上記見返し（２，３）を表表紙（４ａ）及び裏表紙（４ｂ）に接着する工程とを包含してなる上製本の製造方法を採用する。
【００１４】
請求項６に記載されるように、請求項４又は請求項５に記載の上製本の製造方法において、上記ＰＵＲホットメルト接着剤層（５）を上記見返し（２，３）の背を乗り越える位置まで形成するものとすることができる。
【発明の効果】
【００１５】
本発明によれば、少頁数の本であったり、少部数の本であったりしても、簡易かつ廉価にて上製本として製造することができ、しかも、本文（１）の小口（１ｃ）は凹状湾曲面とされるので、指を凹状湾曲面へと入れることで簡易かつ迅速にページを開くことができる。
【図面の簡単な説明】
【００１６】
【図１】本発明の実施の形態１に係る上製本の斜視図である。
【図２】図１中、ＩＩ−ＩＩ線矢視断面図である。
【図３】本発明に係る上製本の製造方法の手順を示すフローチャートである。
【図４】丸味出し工程の説明図である。
【図５】本発明の実施の形態２に係る上製本の図２と同様な断面図である。
【図６】本発明の実施の形態２に係る上製本の製造方法の手順を示すフローチャートである。
【図７】本発明の実施の形態３に係る上製本の図２と同様な断面図である。
【発明を実施するための形態】
【００１７】
以下、図面を参照して本発明を実施するための形態について説明する。
【００１８】
＜実施の形態１＞
図１及び図２に示すように、この上製本は、本文１が上製本用の表紙４で包まれている。また、図２に示すように、本文１の始頁側と終頁側とには、二つ折りされた見返し２，３が接着され、本文１及び見返し２，３が表紙４により包まれ、見返し２，３が表紙４における表表紙４ａ及び裏表紙４ｂに各々接着される。
【００１９】
上記本文１は、枚葉紙１ａの集積体からなり、各枚葉紙１ａは図示しない枚葉印刷機によって枚葉状態で印刷され、そのデリバリ部に棒積み状態で排出される。この枚葉紙１ａの集積体の背となる垂直面がＰＵＲ（Poly Urethane Reactive）ホットメルト接着剤からなる接着剤層５によって下固めされることによって本文１が形成される。
【００２０】
枚葉印刷機としては、デジタルプリンタを用いることが可能である。インクジェット印刷、静電印刷等その印刷方式の種類の如何は問わない。
【００２１】
この枚葉印刷機で印刷される枚葉紙１ａのサイズは本の判のサイズと同程度であるのが望ましい。たとえば、ＪＩＳのＡ列４番、Ｂ列５番等である。このようなサイズの枚葉紙１ａが枚葉印刷機で印刷されて排出され、棒積みの集積体として積み重ねられる。そして、本の背に対応する箇所が垂直面状に揃えられる。
【００２２】
この本文１の背となる垂直面にホットメルト接着剤の一種であるＰＵＲホットメルト接着剤が塗布され、これにより本文の背が固められ、枚葉紙１ａが本文１から分離しないように一体化される。ＰＵＲホットメルト接着剤は、ポリウレタン系反応型ホットメルト接着剤である。この接着剤が下固めに用いられることから、本の強度が高められ、本を繰り返し開閉しても背に亀裂が入り難くなり、頁が分離し難くなる。
【００２３】
なお、本文１の背には、あらかじめ多数の細かい切り込みを形成するなど、ＰＵＲホットメルト接着剤が本文１の各枚葉紙１ａの背に含浸しやすくするための処理をしておくことも可能である。
【００２４】
各見返し２，３は、本文１を構成する枚葉紙１ａの略倍サイズの用紙が二つ折りされることにより形成され、一冊の上製本内に接着するものとして一対用意される。図２に示すように、この見返し２，３の折り目の近傍が、本文１の始頁側と終頁側とに各々図示しない接着剤層を介し接着される。この接着剤としては、酢酸ビニル樹脂エマルジョン接着剤等のエマルジョン接着剤や、水糊等を使用することができる。
【００２５】
上記ＰＵＲホットメルト接着剤からなる接着剤層５は、本文１の背の上に留めることも可能であるが、図２に示すように、望ましくは本文１の背の上から上記見返し２，３の背を乗り越える位置まで伸びるように設けられる。これにより、本文１及び見返し２，３の下固めが強固に行われる。
【００２６】
この場合、見返し２，３と本文１との背における接着が上記ＰＵＲホットメルト接着剤層５によって行われるので、上記見返し２，３を本文１に接着するためのエマルジョン接着剤等の塗布は省略可能である。
【００２７】
上記本文１には、垂直面の背と凹状湾曲面の小口１ｃとが付与される。小口１ｃを凹状湾曲面として整えることによって、この上製本の読者等は、指を小口１ｃの凹状湾曲面へと入れて簡易かつ迅速に頁を開くことが可能となる。
【００２８】
上記本文１の背には、背固め部１６が形成される。この背固め部１６は、上記ホットメルト接着剤層５の背に接着された被覆紙６と、この被覆紙６の背に接着された寒冷紗７と、この寒冷紗７の背に接着された背紙８とを包含してなる積層体により形成される。
【００２９】
被覆紙６は、寒冷紗７を貼着するまで上記ＰＵＲホットメルト接着剤層５を覆って保護する保護材として機能するものである。
【００３０】
背紙８はエマルジョン接着剤等によって上記寒冷紗７の上に貼着される。背紙８は、一枚の紙に限らず、複数枚の同種の紙を積層して用いても良いし、クラフト紙とボール紙のごとく異種の紙を積層して用いてもよい。
【００３１】
背固め部１６が設けられることによって、本文１の背の強度が高められ、繰り返し曲げ等に対する耐性が向上する。また、上製本としての体裁が向上する。
【００３２】
なお、図示しないが、背紙８の上下端には、本の背の上下端を装飾する花布（はなぎれ）を貼着してもよい。
【００３３】
上記本文１は、見返し２，３と共に表紙４によって包まれる。そして、見返し２，３と表表紙４ａ及び裏表紙４ｂとがエマルジョン接着剤、水糊等によって接着され、これにより本文１と表紙４とが一体化される。この接着剤は、望ましくは表表紙４ａ及び裏表紙４ｂに対向する見返し２，３の全面にベタ塗りされる。
【００３４】
本文１の背における背固め部と背表紙４ｃとの間は接着されず、両者間には空隙が設けられる。しかし、接着することも可能である。
【００３５】
表紙４としては、その表表紙４ａ、背表紙４ｃ、裏表紙４ｂが、ボール紙等の腰のある腰部材で補強された上製本用の表紙が用いられる。
【００３６】
その他、本文１の背における厚さ方向の両側には、必要に応じて耳出しがなされる。また、表裏表紙４ａ、４ｂと背表紙４ｃとの境界には溝１ｂが形成される。耳出しや溝１ｂの形成によって、上製本としての体裁がさらに高められる。また、頁の開閉操作の円滑化が図られる。
【００３７】
次に、上記上製本の製造方法について図３のフローチャートに従って説明する。
【００３８】
（１）まず、デジタルプリンタ等の枚葉印刷機によって、所定の版サイズの枚葉紙１ａに所望の内容が印刷され、枚葉状態のままでデリバリ部に排出される（ステップＳ１）。これにより、プリント・オン・デマンドに対処可能である。
【００３９】
（２）印刷された枚葉紙１ａは、枚葉印刷機のデリバリ部に棒積み状態で集積される（ステップＳ２）。
【００４０】
必要に応じて、他の棒積み状態で集積された他の枚葉紙１ａの集積体と重ね合わせられて本文１とされる。
【００４１】
この枚葉紙１ａの集積体からなる本文１の背が、垂直面を形成するように整えられる。
【００４２】
（３）本文１の背となる垂直面にＰＵＲホットメルト接着剤が塗布され、接着剤層５が形成される（ステップＳ３）。
【００４３】
このＰＵＲホットメルト接着剤層５によって、本文１の背の下固めが行われ、重ねられた多数の枚葉紙１ａ同士が本文１として一体化される。
【００４４】
なお、このＰＵＲホットメルト接着剤を塗布する前に、本文１の背の垂直面に多数の細かい切り込み等を形成し、ＰＵＲホットメルト接着剤が枚葉紙１ａの繊維内に含浸しやすいように処理しておくことができる。
【００４５】
その後、本文１が静置される。これにより本文１の背に塗布形成されたＰＵＲホットメルト接着剤層５が固化する。
【００４６】
（４）本文１の始頁側と終頁側とに、二つ折りされた見返し２，３の折り曲げ箇所が、例えばエマルジョン接着剤によって接着される（ステップＳ４）。
【００４７】
なお、このステップＳ４と上記ステップＳ３は順序を入れ替え、本文１に見返し２，３を重ねたうえでそれらの背にＰＵＲホットメルト接着剤層５を形成することも可能である。これにより、見返し２，３と本文１との接着をＰＵＲホットメルト接着剤層５によって行い、上記エマルジョン接着剤の塗布を省略することができる。また、ＰＵＲホットメルト接着剤層５を上記見返し２，３の背を乗り越える位置まで伸ばすことにより、本文１及び見返し２，３の背の接合強度を高めることができる。
【００４８】
（５）見返し２，３が接着された本文１は、そのＰＵＲホットメルト接着剤層５が形成された背を除き、天、地及び小口の三方が断裁され、輪郭が整えられる（ステップＳ５）。
【００４９】
（６）断裁された本文１の背は垂直面のままとされ、本文１の小口１ｃの垂直面に凹状湾曲面が形成とされる（ステップＳ６）。
【００５０】
この凹状湾曲面の形成は、例えば図４に示すように、本文１が表裏からクランプ１０により挟まれ、本文１の小口側に回転する円筒形の刃物１１が当てられ、ミーリングされることによって行われる。
【００５１】
（７）続いて、上記ＰＵＲホットメルト接着剤層５が柔らかいうちに或いは硬くなっている場合は再度加熱し軟化させたうえで、上記本文１の背に対し望ましくは耳出しが行われ、本文１の背の両側に略凸条の耳部が形成される（ステップＳ７）。
【００５２】
耳出しは、図示しないが本文１を見返し２，３ごと耳出し用クランプで挟んだうえで、ローラを背の上に押し当て、このローラを本文１の厚さ方向で転がり往復運動させることにより行われる。
【００５３】
この耳出しにより、本文１の背が固く締められて型崩れし難くなり、小口側にせり出し難くなり、頁を開きやすくなる。
【００５４】
（８）本文１の背にＰＵＲホットメルト接着剤層５の上からエマルジョン接着剤等によって被覆紙６が貼着され（ステップＳ８）、更にその上からエマルジョン接着剤等によって寒冷紗７が貼着され（ステップＳ９）、更にその上からエマルジョン接着剤等によって背紙８が貼着される（ステップＳ１０、１１）。
【００５５】
この被覆紙６、寒冷紗７及び背紙８の積層によって、本文１の背に背固め部１６が設けられる。
【００５６】
（９）背紙８の貼着と同時期に、図示しない花布が本文１の背における天地側の端縁に必要に応じて貼着される。この花布の貼着には、エマルジョン接着剤等が利用される。この花布によって、枚葉紙１ａとＰＵＲホットメルト接着剤層５との境目が本の天地において隠蔽される（ステップＳ１２）。
【００５７】
（１０）本文１に貼着された見返し２，３における本文１外に露出した全面に、エマルジョン接着剤等が塗布される（ステップＳ１３）。
【００５８】
そして、別途用意された表紙４で本文１が包まれ、表表紙４ａ及び裏表紙４ｂが本文１側に接着された見返し２，３に貼着される（ステップＳ１４）。
【００５９】
（１１）その後、背表紙４ｃ側からイチョウプレスが数回繰り返され、銀杏型が本の背に付与される（ステップＳ１５）。これにより、上製本が完成する。
【００６０】
＜実施の形態２＞
図５に示すように、この実施の形態２に係る上製本では、実施の形態１の場合における二つ折の見返し２，３が各々二枚の紙葉紙２ａ，２ｂ，３ａ，３ｂを重ね合わせたもので形成される。
【００６１】
二枚重ねの見返し２，３の背側はＰＵＲホットメルト接着剤層５によって相互に接合され、かつ本文１側にも接合される。
【００６２】
ＰＵＲホットメルト接着剤層５は二枚重ねの見返し２，３の背を乗り越える位置まで伸びており、これにより本文１の背の強度が高められる。
【００６３】
この実施の形態２に係る上製本は、図６に示す手順で製造される。
【００６４】
すなわち、デジタルプリンタ等の枚葉印刷機によって、所定の版サイズの枚葉紙１ａに所望の内容が印刷され、枚葉状態のままで枚葉印刷機のデリバリ部に排出される（ステップＳ１）。その際、二枚の枚葉紙２ａ，２ｂを重ねてなる一方の見返し２が、あらかじめデリバリ部に置かれる。このデリバリ部における見返し２の上へ上記印刷された枚葉紙１ａが棒積み状態で集積される（ステップＳ２）。そして、棒積みされた枚葉紙１ａの上に二枚の枚葉紙３ａ，３ｂを重ねてなる他方の見返し３が乗せられる。これにより、本文１と見返し２，３の集積体が形成される。
【００６５】
その後、この集積体の背にＰＵＲホットメルト接着剤層５が形成されて下固めが行われ（ステップＳ３）、さらに実施の形態１と同様にステップ４〜ステップ１４の工程を経て上製本とされる。
【００６６】
その他、実施の形態２において、実施の形態１と同じ部分には同じ符号を用いて示し、重複した説明を省略する。
【００６７】
＜実施の形態３＞
図７に示すように、この実施の形態３に係る本では、実施の形態１の場合における見返し２，３と異なり、一枚の紙葉からなる見返し１５が用いられている。
【００６８】
この見返し１５は、表紙４の表表紙４ａ、背表紙４ｃ、裏表紙４ｂに渡って延びる大きさの一枚の紙葉で形成される。
【００６９】
見返し１５の背はエマルジョン接着剤又はＰＵＲホットメルト接着剤層５に接着される。そして、見返し１５の背の上からエマルジョン接着剤等より寒冷紗７、背紙８が順に接着される。実施の形態２における被覆紙６は、この実施の形態３では見返し１５の背で代替しうるので、省略可能である。
【００７０】
また、見返し２，３における本文１外に露出した全面にエマルジョン接着剤等が塗布され、別途用意された表紙４で本文１が包まれ、表表紙４ａ及び裏表紙４ｂが見返し２，３に貼着され、これにより上製本が完成する。
【００７１】
その他、実施の形態３において、実施の形態１と同じ部分には同じ符号を用いて示し、重複した説明を省略する。
【００７２】
なお、本発明は、上記実施の形態に限定されるものではなく、種々の変更が可能である。
【符号の説明】
【００７３】
１…本文
１ａ…枚葉紙
１ｃ…小口
２，３…見返し
４…表紙
４ａ…表表紙
４ｂ…裏表紙
４ｃ…背表紙
５…ＰＵＲホットメルト接着剤層
６…被覆紙
７…寒冷紗
８…背紙
１６…背固め部
【図１】
0005786597.tif 000002
【図２】
0005786597.tif 000003
【図３】
0005786597.tif 000004
【図４】
0005786597.tif 000005
【図５】
0005786597.tif 000006
【図６】
0005786597.tif 000007
【図７】
0005786597.tif 000008